(57)【要約】【課題】  窓開口が閉じられた開度０の状態、開度が最大開度に固定された状態、及び風圧に応じて開度略０から略最大開度までの間で変化する状態を実現可能な窓開閉装置の一例を開示する。【解決手段】  障子３を閉位置側に揺動させる力を障子３に作用させる第１ポジションと障子３を開位置側に揺動させる力を障子３に作用させる第２ポジションとの間で揺動する開閉アーム７と、障子３と一体的に揺動変位するとともに、開閉アーム７が第１ポジション又は第２ポジションに位置する際に開閉アーム７の先端部７Ａに接触して「揺動させる力」を受ける受圧部８と、開閉アーム７を第１ポジションと第２ポジションとの間の第３ポジションに保持する保持機能を有するとともに、開閉アーム７を第１ポジションと第２ポジションとの間で揺動させる操作機構とを備え、開閉アーム７が第３ポジションに位置したときには、開閉アーム７は、受圧部８と非接触状態になる。【選択図】  図５
2019108666.tif 000002
【特許請求の範囲】
【請求項１】
窓開口を縁取る枠体と、
前記窓開口を閉じる閉位置と前記窓開口を開く開位置との間で揺動変位する障子であって、揺動中心軸線が水平方向に延びて前記枠体の上端側に位置する障子と、
前記障子を前記開位置側に揺動させる力を発生させる錘部と、
前記揺動中心軸線と直交する揺動中心軸線を中心に揺動する開閉アームであって、前記障子を前記閉位置側に揺動させる力を当該障子に作用させる第１ポジションと前記障子を前記開位置側に揺動させる力を当該障子に作用させる第２ポジションとの間で揺動する開閉アームと、
前記障子と一体的に揺動変位するとともに、前記開閉アームが前記第１ポジション又は前記第２ポジションに位置する際に当該開閉アームの先端部に接触して前記「揺動させる力」を受ける受圧部と、
前記開閉アームを前記第１ポジションと前記第２ポジションとの間の第３ポジションに保持する保持機能を有するとともに、前記開閉アームを前記第１ポジションと前記第２ポジションとの間で揺動させる操作機構とを備え、
前記開閉アームが前記第３ポジションに位置したときには、当該開閉アームは、前記受圧部と非接触状態になる窓開閉装置。
【請求項２】
前記障子に固定され、前記錘部を下方側から覆うカバー部を備え、
少なくとも前記開閉アームが前記第３ポジションに位置する場合においては、当該開閉アームの揺動中心は前記先端部より上方側に位置し、
さらに、前記開閉アームが前記第１ポジションに位置する場合においては、当該開閉アームの少なくとも一部は、前記カバー部より上方側に位置する請求項１に記載の窓開閉装置。
【請求項３】
前記操作機構は、前記開閉アームを前記第２ポジション側に揺動させる弾性力を当該開閉アームに作用させるダンパーを有し、
前記ダンパーは、前記開閉アームの位置によらず、常に、前記カバー部より上方側に位置する請求項２に記載の窓開閉装置。
【請求項４】
前記受圧部は、
前記開閉アームが前記第１ポジションに位置するときに前記先端部と接触する第１受圧部、及び
前記開閉アームが前記第２ポジションに位置するときに前記先端部と接触する第２受圧部を有しており、
前記第１受圧部、前記第２受圧部及び前記錘部は前記カバー部に固定されている請求項３に記載の窓開閉装置。
【請求項５】
前記障子を前記閉位置に保持するためのロック機構であって、前記障子に設けられた被係合部と係合する係合位置と前記当該係合位置からずれた非係合位置との間で変位可能な係合部を有する前記ロック機構と、
前記操作機構は、
前記開閉アームの揺動中心軸線と一致する回転中心軸線を有する第１滑車、
前記開閉アームの前記先端部側に設けられ、前記第１滑車の回転中心軸線と平行な回転中心軸線を有する第２滑車、
前記係合部を変位させる力を当該係合部に作用させるとともに、前記第１滑車及び前記第２滑車に掛け渡されたワイヤー、並びに
前記ワイヤーを巻き取る巻取機能、及び巻き取られた当該ワイヤーを送り出す送出機能を発揮可能な巻取機構を有し、
前記係合部、前記第１滑車及び前記第２滑車は、前記ワイヤーに沿って、前記係合部、前記第１滑車、前記第２滑車の順に並んでおり、
さらに、前記ワイヤーが巻き取られると、前記開閉アームが前記第１ポジション側に揺動するとともに、前記係合部が前記係合位置側に変位する請求項４に記載の窓開閉装置。
【発明の詳細な説明】
【技術分野】
【０００１】
本願は、障子の開度を変更可能な窓開閉装置に関する。
【背景技術】
【０００２】
例えば、特許文献１に記載の辷り（滑り）出し窓用の窓開閉装置では、障子の状態を以下の３つの状態のいずれかに切り換える機能を備える。
（ａ）窓開口が閉じられた開度０の状態
（ｂ）開度が最大開度に固定された排煙状態
（ｃ）風圧に応じて開度略０から略最大開度までの間で変化する換気状態
「開度」とは、辷り出し窓又は突き出し窓等における障子の傾斜角度をいう。開度０（傾斜角度０）の状態では、窓開口は閉じた状態となる。
【先行技術文献】
【特許文献】
【０００３】
【特許文献１】特開２０１６−１６０６３８号公報
【発明の概要】
【発明が解決しようとする課題】
【０００４】
本願は、特許文献１に記載の窓開閉装置と異なる構成にて、上記（ａ）〜（ｃ）の状態を実現可能な窓開閉装置の一例を開示する。
【課題を解決するための手段】
【０００５】
窓開閉装置は、例えば、少なくとも以下の（Ａ）〜（Ｆ）等を備える。
（Ａ）窓開口（２Ａ）を縁取る枠体（２）
（Ｂ）窓開口（２Ａ）を閉じる閉位置と窓開口（２Ａ）を開く開位置との間で揺動変位する障子（３）であって、揺動中心軸線（Ｌ１）が水平方向に延びて枠体（２）の上端側に位置する障子（３）
（Ｃ）障子（３）を開位置側に揺動させる力を発生させる錘部（６）
（Ｄ）揺動中心軸線（Ｌ１）と直交する揺動中心軸線（Ｌ２）を中心に揺動する開閉アーム（７）であって、障子（３）を閉位置側に揺動させる力を当該障子（３）に作用させる第１ポジションと障子（３）を開位置側に揺動させる力を当該障子（３）に作用させる第２ポジションとの間で揺動する開閉アーム（７）
（Ｅ）障子（３）と一体的に揺動変位するとともに、開閉アーム（７）が第１ポジション又は第２ポジションに位置する際に当該開閉アーム（７）の先端部（７Ａ）に接触して「揺動させる力」を受ける受圧部（８）
（Ｆ）開閉アーム（７）を第１ポジションと第２ポジションとの間の第３ポジションに保持する保持機能を有するとともに、開閉アーム（７）を第１ポジションと第２ポジションとの間で揺動させる操作機構（９）
そして、当該窓開閉装置においては、開閉アーム（７）が第３ポジションに位置したときには、当該開閉アーム（７）は、受圧部（８）と非接触状態になることが望ましい。
【０００６】
これにより、当該窓開閉装置では、開閉アーム（７）が第１ポジションに位置したときには窓開口（２Ａ）が閉じられた状態となる。開閉アーム（７）が第２ポジションに位置したときには、障子（３）が予め決められた開度以上の状態、つまり排煙状態となる。
【０００７】
開閉アーム（７）が第３ポジションに位置したときには、当該開閉アーム（７）は受圧部（８）と非接触状態になるので、障子（３）に作用する風圧に応じて開度が変化する状態、つまり換気状態となる。
【０００８】
因みに、上記各括弧内の符号は、後述する実施形態に記載の具体的構成等との対応関係を示す一例であり、本発明は上記括弧内の符号に示された具体的構成等に限定されるものではない。
【図面の簡単な説明】
【０００９】
【図１】実施形態係る窓開閉装置を示す図である。
【図２】実施形態係る窓開閉装置の構造を示す図である。
【図３】実施形態係る窓開閉装置の構造を示す図である。
【図４】実施形態係る窓開閉装置の構造を示す図である。
【図５】実施形態係る窓開閉装置の構造を示す図である。
【図６】実施形態係る窓開閉装置の構造を示す図である。
【図７】実施形態係る窓開閉装置の構造を示す図である。
【図８】実施形態係る窓開閉装置用の巻取機構等を示す図である。
【図９】実施形態係る窓開閉装置用の換気用ストッパ機構の構造を示す図である。
【図１０】実施形態係る窓開閉装置用の換気用ストッパ機構の構造を示す図である。
【図１１】実施形態係る窓開閉装置用の換気用ストッパ機構の構造を示す図である。
【図１２】実施形態係る窓開閉装置用の換気用ストッパ機構の構造を示す図である。
【図１３】実施形態係る窓開閉装置用のロック機構の構造を示す図である。
【図１４】実施形態係る窓開閉装置用のロック機構の構造を示す図である。
【図１５】実施形態係る窓開閉装置の構造を示す図である。
【図１６】実施形態係る窓開閉装置の構造を示す図である。
【発明を実施するための形態】
【００１０】
以下の「発明の実施形態」は、本願発明の技術的範囲に属する実施形態の一例を示すものである。つまり、特許請求の範囲に記載された発明特定事項等は、下記の実施形態に示された具体的構成や構造等に限定されるものではない。
【００１１】
なお、各図に付された方向を示す矢印等は、各図相互の関係を理解し易くするために記載されたものである。本明細書に記載された発明は、各図に付された方向に限定されるものではない。
【００１２】
少なくとも符号を付して説明した部材又は部位は、「１つの」等の断りがある場合を除き、少なくとも１つ設けられている。つまり、「１つの」等の断りがない場合には、当該部材は２以上設けられていてもよい。
【００１３】
（第１実施形態）
１．窓開閉装置の概要
本実施形態は、本願に係る窓開閉装置の一例であって、建物用の突き出し窓に適用された例である。突き出し窓、つまり窓開閉装置１は、図１に示されるように、枠体２及び障子３等を少なくとも備える。
【００１４】
枠体２は、窓開口２Ａを縁取る窓枠である。障子３は、図４に示されるヒンジ部４を介して枠体２に揺動可能に連結されている。当該障子３は、窓開口２Ａを閉じる閉位置（図４参照）と窓開口２Ａを開く開位置（図１６参照）との間で揺動変位する。
【００１５】
ヒンジ部４は、枠体２の上端側に配置され、かつ、障子３の上端側を枠体２に揺動可能に連結する。当該ヒンジ部４の揺動中心軸線Ｌ１は、水平方向に延びている（図１参照）。このため、障子３が開位置まで揺動変位したときには、当該障子３の下端は、枠体２より建物の外側に突き出た状態となる。
【００１６】
２．開閉機構
２．１  開閉機構の概要
開閉機構は、障子３を閉位置と開位置との間で揺動変位させるための機構である。当該開閉機構５は、図４及び図５に示されるように、錘部６、開閉アーム７、受圧部８及び操作機構９等を少なくとも備える。
【００１７】
２．２  錘部
錘部６は、当該錘部６に作用する重力を利用して障子３を開位置側に揺動させるモーメントを発生させる。錘部６は、図４に示されるように、ヒンジ部４の揺動中心軸線Ｌ１に対して室内側にずれた位置に配置されている。
【００１８】
錘部６の下側はカバー部１０により覆われている。カバー部１０は、障子３の上端側に固定された金属製の部材である。なお、本実施形態に係るカバー部１０は、錘部６を支持するブラケットを兼ねている。
【００１９】
カバー部１０は、図３に示されるように、障子３の水平方向略全域に亘って拡がっている。なお、本実施形態に係る錘部６は、当該カバー部１０の水平方向一端側に配置された第１錘部６Ａ、及び当該水平方向他端側に配置された第２錘部６Ｂにて構成されている。以下、断りをした場合を除き、錘部６とは、第１錘部６Ａ及び第２錘部６Ｂを意味する。
【００２０】
カバー部１０は、図４に示されるように、縦壁部１０Ａ及び底板部１０Ｂを有し、揺動中心軸線Ｌ１と平行な方向と直交する断面が略Ｌ字状に構成されている。縦壁部１０Ａは、障子３から室内側に離間した部位に位置し、かつ、障子３が閉位置にあるときに、揺動中心軸線Ｌ１と略平行な鉛直面を構成する。
【００２１】
底板部１０Ｂは、障子３が閉位置にあるときに、揺動中心軸線Ｌ１と略平行な水平面を構成する。なお、縦壁部１０Ａと底板部１０Ｂとは、プレス加工等の塑性加工により一体成形された金属製の一体成形品である。
【００２２】
カバー部１０はブラケット１０Ｃを介して障子３に固定されている。ブラケット１０Ｃは、ねじ等の締結具にて障子３及びカバー部１０に固定されている。なお、当該ブラケット１０Ｃは、アングル等の形鋼にて構成されている。
【００２３】
２．３  開閉アーム及び受圧部
開閉アーム７は、図３に示されるように、ヒンジ部４の揺動中心軸線Ｌ１と直交する揺動中心軸線Ｌ２を中心に揺動する部材である。当該開閉アーム７は、第１ポジション（図５参照）と第２ポジション（図６参照）との間で揺動可能である。
【００２４】
第１ポジションは、障子３を閉位置側に揺動させる力を開閉アーム７が当該障子３に作用させることが可能な位置である。第２ポジションは、障子３を開位置側に揺動させる力を開閉アーム７が当該障子３に作用させることが可能な位置である。
【００２５】
受圧部８は、カバー部１０に固定されて当該カバー部１０を介して障子３に固定された部位であって、当該障子３と一体的に揺動変位する部位である。当該受圧部８は、図５及び図６に示されるように、開閉アーム７が第１ポジション又は第２ポジションに位置する際に、当該開閉アーム７の先端部７Ａに接触して上記「揺動させる力」を受ける部位である。
【００２６】
具体的には、受圧部８は、第１受圧部８１及び第２受圧部８２を少なくとも有して構成されている。第１受圧部８１は、図５に示されるように、開閉アーム７が第１ポジションに位置するときに前記先端部７Ａと接触する部位である。
【００２７】
第２受圧部８２は、図６に示されるように、開閉アーム７が第２ポジションに位置するときに前記先端部７Ａと接触する部位である。以下、断りをした場合を除き、受圧部８は、第１受圧部８１及び第２受圧部８２の総称を意味する。
【００２８】
なお、本実施形態では、受圧部８と接触する前記先端部７Ａは、開閉アーム７の先端側に回転可能に装着されたローラで構成されている。当該ローラの回転中心線は、開閉アーム７の揺動中心軸線Ｌ２と平行である。以下に記載のローラ７Ａは、当該先端部７Ａを意味する。
【００２９】
第１受圧部８１は、図４に示されるように、開閉アーム７が第１ポジションにあるときに、ローラ７Ａの回転中心線に対して平行となる平面にて構成されている。第２受圧部８２は、図６に示されるように、少なくとも開閉アーム７が第２ポジションにあるときにローラ７Ａと接触する面である。
【００３０】
本実施形態に係る第２受圧部８２は、開閉アーム７が第３ポジション（図７参照）から第２ポジションまで揺動変位する際に、ローラ７Ａと接触する曲面にて構成されている。第３ポジションは、第１ポジションと第２ポジションとの間の位置である。そして、開閉アーム７が第３ポジションに位置したときには、当該開閉アーム７は、受圧部８、つまり第１受圧部８１及び第２受圧部８２と非接触状態になる。
【００３１】
２．４  操作機構
操作機構９は、開閉アーム７を第１ポジションと第２ポジションとの間で揺動させる機能、及び当該開閉アーム７を第３ポジションに保持する保持機能を発揮可能な機構である。
【００３２】
当該操作機構９は、図７及び図８に示されるように、ダンパー１１、第１滑車１２、第２滑車１３、ワイヤー１４、巻取機構１５（図８参照）及び換気用ストッパ機構１６等を少なくとも有して構成されている。
【００３３】
＜ダンパー＞
ダンパー１１は、図５〜図７に示されるように、開閉アーム７を第２ポジション側に向けて揺動させる弾性力を当該開閉アーム７に作用させる。具体的には、ダンパー１１は、筒状のシリンダ１１Ａ、シリンダ１１Ａから出没するロッド１１Ｂ、及びロッド１１Ｂをシリンダ１１Ａから押し出すコイルばね（図示せず。）等を有している。
【００３４】
このため、ダンパー１１は、当該ダンパー１１の長手方向寸法を伸張させるような弾性力を発揮する。そして、ダンパー１１の長手方向一端側は、ブラケット１７を介して枠体２に回転可能に連結されている。ダンパー１１の長手方向他端側は、開閉アーム７のうち揺動中心軸線Ｌ２を挟んでローラ７Ａと反対側の位置に回転可能に連結されている。
【００３５】
したがって、ダンパー１１が伸張すると、開閉アーム７は、第１ポジション側から第２ポジション側に向けて揺動変位する。そして、ダンパー１１は、図５〜図７に示されるように、開閉アーム７の位置によらず、常に、カバー部１０より上方側に位置する。
【００３６】
＜第１滑車、第２滑車及びワイヤー＞
ワイヤー１４は、少なくとも第１滑車１２及び第２滑車１３に掛け渡されている。第１滑車１２は、図３に示されるように、開閉アーム７の揺動中心軸線Ｌ２と一致する回転中心軸線を有する。
【００３７】
第２滑車１３は、開閉アーム７の先端部７Ａ側に設けられ、第１滑車１２の回転中心軸線と平行な回転中心軸線を有する。なお、本実施形態では、第２滑車１３の回転中心軸線とローラ７Ａの回転中心軸線とは一致する。
【００３８】
ワイヤー１４の一端は、枠体２又は建物等の不動箇所に連結されている。ワイヤー１４の他端は、巻取機構１５の巻取ドラム（図示せず。）に連結されている。なお、図５等に示される滑車１３Ａ〜１３Ｆは、ワイヤー１４の配索方向を転向するための滑車である。
【００３９】
＜巻取機構＞
図８に示される巻取機構１５は、ワイヤー１４を巻き取る巻取機能、及び巻き取られたワイヤー１４を送り出す送出機能を発揮可能な機構である。本実施形態に係る巻取機構１５は手動式である。
【００４０】
すなわち、巻取機構１５は換気ボタン１５Ａ及び操作ハンドル１５Ｂ等を少なくとも有する。換気ボタン１５Ａは、障子３を換気モードとするための操作部である。操作ハンドル１５Ｂは、障子３を閉位置側に揺動させるための操作部である。
【００４１】
換気ボタン１５Ａが操作員により押圧されると、巻取ドラム（図示せず。）の回転を規制するラチェット（図示せず。）が開放されるため、巻取ドラムが回転可能となり、ワイヤー１４を送り出し可能な状態となる。
【００４２】
操作ハンドル１５Ｂが操作員により回転操作されると、巻取ドラムがワイヤー１４を巻き取り向きに回転するため、ワイヤー１４が当該巻取ドラムに巻き取られる。なお、巻取ドラムは、巻取機構１５のケーシング内に収納され、ワイヤー１４を巻き取るための部材である。ラチェットは、巻取ドラムの回転を規制するための部材である。
【００４３】
＜換気用ストッパ機構＞
換気用ストッパ機構１６は、開閉アーム７を第３ポジション（図７参照）に保持する保持機能を発揮させるための機構である。具体的には、以下の通りである。
【００４４】
すなわち、ワイヤー１４が巻取ドラムに巻き取られている状態、つまり、障子３が閉位置にあり、かつ、開閉アーム７が第１ポジションにある状態において、巻取ドラムが回転可能な状態になると、開閉アーム７は、ダンパー１１の弾性力により第１ポジションから第２ポジション側に揺動変位する。
【００４５】
そして、換気用ストッパ機構１６は、開閉アーム７が第１ポジションから第２ポジション側に揺動変位する際に、開閉アーム７が第３ポジションを越えて第２ポジションまで揺動変位することを規制する。
【００４６】
換気用ストッパ機構１６は、図９〜図１２に示されるように、当接部材１８及び規制機構１９等を有して構成されている。当接部材１８は、開閉アーム７の揺動中心を中心として当該開閉アーム７と一体的に揺動する部材である。
【００４７】
本実施形態に係る当接部材１８は、開閉アーム７のうち開閉アーム７の揺動中心を挟んでローラ７Ａと反対側に設けられたピン状の部材である。規制機構１９は、当接部材１８の変位、つまり開閉アーム７の変位を規制するための機構である。
【００４８】
規制機構１９は、揺動部材２０、第１リンク２２Ａ、第２リンク２２Ｂ及び楔部材２３等を少なくとも有して構成されている。揺動部材２０は、軸部２０Ａを介してベース部材１９Ａに揺動可能に装着されている。ベース部材１９Ａは枠体２に直接的又は間接的に固定されている。
【００４９】
揺動部材２０は、規制ポジション（図９〜図１１参照）と開放ポジション（図１２参照）との間で揺動する。揺動部材２０には、第１凸部２０Ｂ及び第２凸部２０Ｃが設けられている。
【００５０】
第１凸部２０Ｂ及び第２凸部２０Ｃは、当接部材１８と接触したときに、当該当接部材１８の変位を規制する。第１凸部２０Ｂは、第２凸部２０Ｃより軸部２０Ａに近接した位置に設けられている。
【００５１】
第１リンク２２Ａは、一端側が揺動部材２０に揺動可能に連結され、かつ、他端側が第２リンク２２Ｂの一端側に揺動可能に連結されている。第１リンク２２Ａと揺動部材２０との連結位置は、軸部２０Ａより第２凸部２０Ｃに近接した位置である。
【００５２】
第２リンク２２Ｂの他端側はベース部材１９Ａに揺動可能に連結されている。第１ばね２４Ａは、揺動部材２０を開放ポジション側に揺動させる弾性力を発揮する。第２ばね２４Ｂは、第２リンク２２Ｂを図９に示す位置（以下、規制位置という。）に維持するための弾性力（以下、維持力という。）を発揮する。
【００５３】
ベース部材１９Ａには、第２リンク２２Ｂ又は第１リンク２２Ａと接触可能な壁部１９Ｂが設けられている。壁部１９Ｂは、第２リンク２２Ｂ又は第１リンク２２Ａと接触したときに、上記の維持力を受ける。
【００５４】
つまり、壁部１９Ｂと第２リンク２２Ｂ又は第１リンク２２Ａとが接触した状態では、第２リンク２２Ｂと第１リンク２２Ａとの連結箇所Ｐ１は、壁部１９Ｂ側に向けて押し付けられた状態となる。
【００５５】
このため、図９に示す状態では、第１リンク２２Ａ及び第２リンク２２Ｂは、当該連結箇所が壁部１９Ｂに向けて凸となる状態、つまり規制位置に維持される。換言すれば、規制位置では、連結箇所Ｐ１は、連結箇所Ｐ２、Ｐ３を結ぶ仮想線より壁部１９Ｂ側に位置する。
【００５６】
なお、連結箇所Ｐ１は、第２リンク２２Ｂと第１リンク２２Ａとの連結中心である。連結箇所Ｐ２は、第１リンク２２Ａと揺動部材２０との連結中心である。連結箇所Ｐ３は、第２リンク２２Ｂとベース部材１９Ａとの連結中心である。
【００５７】
楔部材２３は、規制位置にある連結箇所Ｐ１を維持力の向きと逆向きに揺動させるための部材である。楔部材２３は、離隔位置（図９参照）と進入位置（図１１参照）との間で移動する部材である。
【００５８】
離隔位置は、図９に示されるように、連結箇所Ｐ１から離隔した位置である。進入位置は、図１１に示されるように、楔部材２３の先端部である楔部２３Ａが、壁部１９Ｂと第２リンク２２Ｂ又は第１リンク２２Ａとの間に進入した位置である。
【００５９】
楔部材２３には、第２のワイヤー２５（以下、排煙ワイヤー２５という。）が連結されている。排煙ワイヤー２５は、楔部材２３（楔部２３Ａ）を離隔位置側から進入位置側に変位させる張力を当該楔部材２３に作用させるためのワイヤーである。
【００６０】
復帰ばね２５Ａは、楔部材２３を進入位置側から離隔位置側に変位させる弾性力を発揮する。なお、排煙ワイヤー２５は、図８に示される排煙レバー１５Ｃが操作員に操作されたときに、楔部材２３を離隔位置側から進入位置側に変位させる。
【００６１】
復帰ばね２５Ａは、操作員の操作力が消失したときに、楔部材２３を離隔位置に復帰させるとともに、排煙ワイヤー２５を引き戻して排煙レバー１５Ｃを元の位置に復帰させる。排煙レバー１５Ｃは、操作部１５Ｄが押圧されたときに、操作可能な状態となる。
【００６２】
なお、本実施形態では、排煙レバー１５Ｃが操作されると、当該操作に連動して換気ボタン１５Ａが操作された状態となる。つまり、巻取ドラムが回転可能となり、ワイヤー１４を送り出し可能な状態となる。
【００６３】
＜換気用ストッパ機構の作動＞
揺動部材２０が規制ポジションにあるときには、当接部材１８は、第１凸部２０Ｂと第２凸部２０Ｃとの間で揺動変位可能である（図９及び図１０参照）。当接部材１８が第１凸部２０Ｂと接触している状態（図９参照）では、開閉アーム７は概ね第１ポジションに位置する。当接部材１８が第２凸部２０Ｃと接触している状態（図１０参照）では、開閉アーム７は概ね第３ポジションに位置する。
【００６４】
揺動部材２０が規制ポジションにあるときに、排煙レバー１５Ｃが操作されると、楔部材２３が離隔位置から進入位置に変位する（図１１参照）。この状態では、連結箇所Ｐ１は、連結箇所Ｐ２、Ｐ３を結ぶ仮想線上、又は当該仮想線を挟んで壁部１９Ｂと反対側に位置する。
【００６５】
このため、第１ばね２４Ａの弾性力により、連結箇所Ｐ１が上記仮想線を挟んで壁部１９Ｂと反対側まで大きく変位するため、図１２に示されるように、揺動部材２０が開放ポジションまで揺動変位する。
【００６６】
揺動部材２０が開放ポジションにあるときに、開閉アーム７が第１ポジション側に向けて揺動変位すると、これに連動して当接部材１８が第１凸部２０Ｂに向けて揺動変位する。このとき、当接部材１８が第１凸部２０Ｂに接触すると、揺動部材２０は、第１凸部２０Ｂを介して当接部材１８から力を受ける。
【００６７】
そして、開閉アーム７が第１ポジションに到達すると、揺動部材２０は、当接部材１８から力を受けて規制ポジションに復帰する。このとき、連結箇所Ｐ１が上記仮想線より壁部１９Ｂ側の位置に復帰するため、揺動部材２０が規制ポジションに維持される。
【００６８】
２．５  ロック機構
図５に示されるロック機構３０は、障子３を閉位置に保持するための機構である。当該ロック機構３０は、図１３に示されるように、被係合部３１及び係合部３２等を少なくとも有して構成されている。
【００６９】
被係合部３１は障子３に固定され、当該障子３と一体的に変位する。係合部３２は、枠体２に設けられている。当該係合部３２は、係合位置（図１３参照）と非係合位置（図１４）との間で変位可能な状態で枠体２に装着されている。
【００７０】
係合位置は、図１３に示されるように、ピン状の被係合部３１が係合部３２のＵ字状の溝部３２Ａに嵌り込むように引っ掛かることにより、被係合部３１と係合部３２とが係合状態となる位置である。非係合位置は、図１４に示されるように、被係合部３１と係合部３２と係合状態が解除される位置である。
【００７１】
したがって、被係合部３１と係合部３２とが係合した状態では、障子３が閉位置に保持される。被係合部３１と係合部３２との係合状態が解除された状態では、障子３は開位置側に揺動変位可能な状態となる。
【００７２】
本実施形態に係る係合部３２は、軸部３２Ｂを中心に揺動変位することにより、係合位置と非係合位置との間で揺動変位する。図７に示される解除ばね３２Ｃは、係合部３２を係合位置側から非係合位置側に変位させる弾性力を当該係合部３２に作用させる。つまり、解除ばね３２Ｃは、係合状態を解除するための弾性力を係合部３２に作用させる。
【００７３】
図１３に示されるように、係合部３２のうち軸部３２Ｂからずれた位置には、ワイヤー１４が掛けられる第３滑車３２Ｄが設けられている。枠体２に固定されたブラケット３２Ｅには、ワイヤー１４の配索方向を転向するための滑車３２Ｆ、３２Ｇが設けられている。
【００７４】
このため、巻取機構１５からワイヤー１４が送り出されると、解除ばね３２Ｃの弾性力により、係合部３２が係合位置側から非係合位置に変位し（図１４参照）、係合状態が解除されるため、障子３が揺動可能な状態となる。
【００７５】
ワイヤー１４が巻取機構１５により巻き取られ、図１４の矢印で示される向きの張力Ｔがワイヤー１４に作用すると、係合部３２は、係合位置側に揺動変位する。つまり、ワイヤー１４は、係合部３２を変位させる力を当該係合部３２に作用させる。
【００７６】
３．窓開閉装置の作動
３．１  換気モード
係合部３２、第１滑車１２及び第２滑車１３は、図２に示されるように、ワイヤー１４の配索方向に沿って、係合部３２、第１滑車１２、第２滑車１３の順に並んでいる。そして、換気ボタン１５Ａが操作員により押圧されてワイヤー１４を送り出し可能な状態となると、解除ばね３２Ｃの弾性力により係合部３２が非係合位置に変位する。
【００７７】
係合部３２が非係合位置側に変位し始めると、ダンパー１１が伸張し始めるので、開閉アーム７が第１ポジションから第３ポジション側に揺動変位する。開閉アーム７が第３ポジションまで変位すると、当接部材１８が第２凸部２０Ｃと接触するので（図１０参照）、開閉アーム７の変位が停止する。
【００７８】
開閉アーム７が第３ポジションに位置したときには、当該開閉アーム７は、第１受圧部８１及び第２受圧部８２のいずれとも非接触状態になる（図７参照）。このため、障子３は、錘部６に作用する重力によるモーメントにより、閉位置から開位置に揺動変位する（図１５参照）。
【００７９】
このとき、障子３は、障子３に作用する風力と上記モーメントとが釣り合うように、閉位置と開位置との間で自由に揺動する状態、つまり換気モードとなる。したがって、換気モードでは、障子３に作用する風力に応じて当該障子３の揺動角度が変化する。
【００８０】
具体的には、風が強くなって上記風力が大きくなると、当該障子３は揺動角度が小さくなるように閉位置側に位置する。風が弱くなって上記風力が小さくなると、当該障子３は揺動角度が大きくなるように開位置側に位置する。
【００８１】
本実施形態では、障子３の最大揺動角は、少なくとも１つのストッパ３Ａ（図７参照）により規制されている。ストッパ３Ａは、図７に示されるように、カバー部１０の水平方向端部に設けられている。
【００８２】
当該ストッパ３Ａが枠体２に接触することにより、障子３が予め決められた揺動角を超えて変位することが規制される。なお、カバー部１０には、換気モード時に、カバー部１０と開閉アーム７との干渉を回避するための回避口１０Ｄが設けられている。
【００８３】
３．２  排煙モード
排煙レバー１５Ｃが操作員に操作され、楔部材２３が離隔位置側から進入位置側に変位すると、揺動部材２０が開放ポジション（図１２参照）となるので、開閉アーム７が第２ポジション側に変位し始める。
【００８４】
これにより、ローラ７Ａが第２受圧部８２に接触するとともに、第２受圧部８２が開閉アーム７により押圧される。したがって、開閉アーム７が第２ポジション側に揺動変位すると、これに連動して障子３の揺動角度が大きくなる（図１６参照）。
【００８５】
そして、ストッパ３Ａが枠体２に接触したとき、つまり障子３の揺動角度が最大揺動角となったときに、障子３の揺動が停止するとともに、当該揺動角度が保持される。したがって、排煙モードでは、障子３の揺動角度が最大揺動角に保持される。
【００８６】
３．３  閉塞モード
排煙モード又は換気モードの状態において、ワイヤー１４が巻き取られると、開閉アーム７が第１ポジション側に揺動するとともに、係合部３２が係合位置側に変位する。
【００８７】
そして、開閉アーム７が第１ポジションに到達すると、開閉アーム７全体がカバー部１０より上方側に位置して当該開閉アーム７がカバー部１０に覆われた状態になるとともに（図２参照）、係合部３２と被係合部３１とが係合した状態となる（図１３参照）。
【００８８】
４．本実施形態に係る窓開閉装置の特徴
本実施形態に係る窓開閉装置１においては、開閉アーム７が第３ポジションに位置したときには、当該開閉アーム７は、受圧部８と非接触状態になる。
【００８９】
これにより、当該窓開閉装置１では、開閉アーム７が第１ポジションに位置したときには窓開口２Ａが閉じられた状態となる。開閉アーム７が第２ポジションに位置したときには、障子３が予め決められた開度以上の状態、つまり排煙状態となる。
【００９０】
そして、開閉アーム７が第３ポジションに位置したときには、当該開閉アーム７は受圧部８と非接触状態になるので、障子３に作用する風圧に応じて開度が変化する状態、つまり換気状態となる。
【００９１】
本実施形態に係る窓開閉装置１では、開閉アーム７が第１ポジションに位置する場合においては、当該開閉アーム７の少なくとも一部（本実施形態では、開閉アーム７全体）がカバー部１０より上方側に位置する（図２参照）。これにより、窓開閉装置１の意匠性（見栄え）が悪化することが抑制される。
【００９２】
本実施形態に係るダンパー１１は、開閉アーム７の位置によらず、常に、カバー部１０より上方側に位置する。これにより、窓開閉装置１の意匠性（見栄え）が悪化することが抑制される。
【００９３】
本実施形態に係る窓開閉装置１では、開閉アーム７及び受圧部８等の障子３を揺動させるための機構がカバー部１０より上方側に配置されている。これにより、障子３の高さ寸法によらず、同一仕様の開閉アーム７及び受圧部８等を利用することが可能となる。
【００９４】
さらに、障子３の高さ寸法によらず、同一仕様の開閉アーム７及び受圧部８等を利用することが可能となるので、窓開閉装置１の部品点数及び部品の種類を削減することが可能となり得る。
【００９５】
（その他の実施形態）
上述の実施形態では、２つの障子３を連動させて開閉する窓開閉装置であった。しかし、本願明細書に開示された発明はこれに限定されるものではない。すなわち、例えば、１つ又は３つ以上の障子３を連動させて開閉する窓開閉装置であってもよい。
【００９６】
上述の実施形態では、開閉アーム７が第１ポジションに位置する場合においては、当該開閉アーム７の少なくとも一部（本実施形態では、開閉アーム７全体）がカバー部１０より上方側に位置していた。しかし、本願明細書に開示された発明はこれに限定されるものではない。
【００９７】
上述の実施形態では、ダンパー１１が開閉アーム７の位置によらず、常に、カバー部１０より上方側に位置していた。しかし、本願明細書に開示された発明はこれに限定されるものではない。
【００９８】
上述の実施形態に係る受圧部８は、２つの受圧部８（第１受圧部８１及び第２受圧部８２）により構成されていた。しかし、本願明細書に開示された発明はこれに限定されるものではない。
【００９９】
上述の実施形態に係る巻取機構１５は手動式であった。しかし、本願明細書に開示された発明はこれに限定されるものではない。すなわち、巻取機構１５は電動式であってもよい。
【０１００】
さらに、本発明は、特許請求の範囲に記載された発明の趣旨に合致するものであればよく、上述の実施形態に限定されるものではない。したがって、上述した複数の実施形態のうち少なくとも２つの実施形態を組み合わせてもよい。
【符号の説明】
【０１０１】
１… 窓開閉装置  ２… 枠体  ２Ａ… 窓開口  ３… 障子
５… 開閉機構  ６… 錘部  ７… 開閉アーム  ７Ａ… 先端部（ローラ）
８… 受圧部  ９… 操作機構  １０… カバー部  １１… ダンパー
１２… 第１滑車  １３… 第２滑車  １４… ワイヤー
１５… 巻取機構  １６… 換気用ストッパ機構  ３０… ロック機構
【図１】
2019108666.tif 000003
【図２】
2019108666.tif 000004
【図３】
2019108666.tif 000005
【図４】
2019108666.tif 000006
【図５】
2019108666.tif 000007
【図６】
2019108666.tif 000008
【図７】
2019108666.tif 000009
【図８】
2019108666.tif 000010
【図９】
2019108666.tif 000011
【図１０】
2019108666.tif 000012
【図１１】
2019108666.tif 000013
【図１２】
2019108666.tif 000014
【図１３】
2019108666.tif 000015
【図１４】
2019108666.tif 000016
【図１５】
2019108666.tif 000017
【図１６】
2019108666.tif 000018